(57)【特許請求の範囲】
【請求項１】
全長にわたってライトガイドファイバが配設された挿入部を有する内視鏡本体と、
前記ライトガイドファイバの入射端に向けて光を供給するランプと前記ランプに電気を供給するバッテリとを内部に有するとともに、前記内視鏡本体と接続するための接続部を有する光源部と、
前記内視鏡本体に設けられ前記ライトガイドファイバの入射端が配置されているとともに前記光源部の接続部に対して着脱可能なライトガイドコネクタ部と
を具備し、
前記光源部からの光をライトガイドファイバの前記入射端からその出射端を有する挿入部の先端まで伝送することにより観察対象物を照明するための照明光を得る内視鏡装置において、
前記ライトガイドコネクタ部は、
前記内視鏡本体の内部を前記内視鏡本体の外部に対して連通させる第１の連通路と、
前記第１の連通路に設けられ、前記光源部の接続部が離脱された状態で前記第１の連通路を遮断するように閉じるとともに、前記光源部の接続部が接続された状態で前記第１の連通路を開くことで前記内視鏡本体の内部と前記光源部の接続部とを連通させる第１のシール手段と
を備え、
前記光源部の接続部は、
前記光源部の内部を前記光源部の外部に対して連通させる第２の連通路と、
前記第２の連通路に設けられ、前記ライトガイドコネクタ部に対して離脱された状態で前記第２の連通路を遮断するように閉じるとともに、前記ライトガイドコネクタ部に接続された状態で前記第２の連通路を開くことで前記光源部の内部と前記ライトガイドコネクタ部とを連通させる第２のシール手段と
を備えていることを特徴とする内視鏡装置。
【請求項２】
前記ライトガイドコネクタ部の前記第１のシール手段は、
前記第１の連通路を開閉可能な第１のシール部材と、
前記光源部の接続部が前記ライトガイドコネクタ部から離脱された状態で前記第１のシール部材を前記第１の連通路を閉じる方向に付勢する第１の付勢手段と
を備え、
前記光源部の接続部の前記第２のシール手段は、
前記第２の連通路を開閉可能な第２のシール部材と、
前記光源部の接続部が前記ライトガイドコネクタ部から離脱された状態で前記第２のシール部材を前記第２の連通路を閉じる方向に付勢する第２の付勢手段と
を備え、
前記ライトガイドコネクタ部は、前記接続部が前記ライトガイドコネクタ部に接続された状態で前記接続部の前記第２のシール部材を前記第２の付勢手段に抗して押圧して開く第１の押圧部材を備え、
前記光源部の接続部は、前記接続部が前記ライトガイドコネクタ部に接続された状態で前記ライトガイドコネクタ部の前記第１のシール部材を前記第１の付勢手段に抗して押圧して開く第２の押圧部材を備えていることを特徴とする請求項１に記載の内視鏡装置。
【請求項３】
前記ライトガイドコネクタ部の前記第１の押圧部材には、前記ライトガイドファイバの入射端が配設され、
前記光源部の前記第２のシール手段の前記第２のシール部材は、前記ランプから供給された光を集光する光学部材を有し、
前記光源部の接続部が前記ライトガイドコネクタ部に接続された状態で、前記第１の押圧部材が前記第２のシール部材を押圧することで、前記光学部材は前記ランプから供給された光を前記ライトガイドファイバの入射端に向けて集光する位置に位置決めされることを特徴とする請求項２に記載の内視鏡装置。
【請求項４】
前記内視鏡本体は、前記内視鏡本体の内部に連通するとともに、前記内視鏡本体の内部を通して前記ライトガイドコネクタ部の前記第１の連通路に連通する通気口金を備えていることを特徴とする請求項１から請求項３のいずれか１に記載の内視鏡装置。
【発明の詳細な説明】
【０００１】
【発明の属する技術分野】
本発明は内視鏡装置に関する。
【０００２】
【従来の技術】
一般に、内視鏡は、操作部と、体内等に挿入される挿入部とから本体が構成されている。そして、内視鏡は、操作部から延びるユニバーサルコード等の接続手段を介して光源装置に接続され、この光源装置からの光をライトガイドファイバによって前記挿入部の先端まで伝送することにより、観察対象物を照明するための照明光を得ている。
【０００３】
従来、乾電池を電源としてランプが点灯するコンパクトな光源を内視鏡操作部等に直接に取り付けることにより照明光を得る、いわゆる光源装置一体型（バッテリ光源式）の内視鏡（以下、内視鏡装置という。）が知られている。この内視鏡装置は、床設置式の大掛かりな光源装置に内視鏡を接続する必要がないため、携帯性に優れている。
【０００４】
また、内視鏡の中には、それ自身の水漏れをチェックできるように、操作部に水漏れチェック用の通気口金を有しているものがある。水漏れをチェックする際には、水漏れチェックアダプタが前記通気口金に取り付けられ、内視鏡の内部と水漏れチェックアダプタとが通気口金を介して互いに連通される。
【０００５】
【発明が解決しようとする課題】
ところで、従来のバッテリ光源式の内視鏡装置は、例えば特願平９−１１４２６号公報に示されるように、内視鏡とバッテリ光源とがそれぞれ単独で水密に構成されている。そのため、使用後の内視鏡をこれに連結されたバッテリ光源とともに消毒液に浸漬したり、内視鏡やバッテリ光源をそれぞれ単独で消毒液に浸漬したりすることはできるが、水漏れチェック用の通気口金が内視鏡側にしか設けられていない場合には、内視鏡とバッテリ光源とが連結された状態で通気口金にチェックアダプタを取り付けても、内視鏡側のみの水漏れチェックしか行なうことができない。すなわち、バッテリ側の水漏れチェックを行なうためには、バッテリ光源側にも水漏れチェック用の通気口金を設ける必要がある。
【０００６】
しかし、バッテリ光源側に水漏れチェック用の通気口金を設けると、バッテリ光源側の構造が複雑になるとともに、バッテリ光源に通気口金が突出部として形成されることとなるため、通気口金が操作の妨げとなる可能性がある。しかも、内視鏡とバッテリ光源の両方の水漏れチェックを行なう必要があり、非常に手間がかかるという問題がある。
【０００７】
また、一般の内視鏡は、バッテリ光源のような取付部品が何も取り付けられていない状態で、外部に対する内部の水密性が確保されている。したがって、一般的には、ユーザーは内視鏡を単独で薬液に漬けることに何ら抵抗を感じない。したがって、内視鏡とバッテリ光源のそれぞれに常時連通する連通路が形成され且つ内視鏡とバッテリ光源とがそれぞれ単独状態の時には各々水密ではなく両者が互いに連結された時に両者の内部同士が互いに連通されるとともに外部に対して水密に保持される構成では、ユーザーが誤って内視鏡を単独で（バッテリ光源が連結されていない状態で）薬液に漬けてしまうと、薬液が通気路を介して内視鏡の内部に侵入してしまい、電気的および機械的な故障を引き起こしてしまう可能性がある。
【０００８】
本発明は前記事情に着目してなされたものであり、その目的とするところは、内視鏡単体の状態、バッテリ光源単体の状態、内視鏡とバッテリ光源とが互いに接続された状態のいずれの状態で液体中に浸漬された場合でも内視鏡内部およびバッテリ光源内部に液体が侵入することがない内視鏡装置を提供することにある。
【０００９】
【課題を解決するための手段】
前記課題を解決するために、本発明に係る内視鏡装置は、全長にわたってライトガイドファイバが配設された挿入部を有する内視鏡本体と、前記ライトガイドファイバの入射端に向けて光を供給するランプと前記ランプに電気を供給するバッテリとを内部に有するとともに、前記内視鏡本体と接続するための接続部を有する光源部と、前記内視鏡本体に設けられ前記ライトガイドファイバの入射端が配置されているとともに前記光源部の接続部に対して着脱可能なライトガイドコネクタ部とを具備し、前記光源部からの光をライトガイドファイバの前記入射端からその出射端を有する挿入部の先端まで伝送することにより観察対象物を照明するための照明光を得るものである。そして、前記ライトガイドコネクタ部は、前記内視鏡本体の内部を前記内視鏡本体の外部に対して連通させる第１の連通路と、前記第１の連通路に設けられ、前記光源部の接続部が離脱された状態で前記第１の連通路を遮断するように閉じるとともに、前記光源部の接続部が接続された状態で前記第１の連通路を開くことで前記内視鏡本体の内部と前記光源部の接続部とを連通させる第１のシール手段とを備え、前記光源部の接続部は、前記光源部の内部を前記光源部の外部に対して連通させる第２の連通路と、前記第２の連通路に設けられ、前記ライトガイドコネクタ部に対して離脱された状態で前記第２の連通路を遮断するように閉じるとともに、前記ライトガイドコネクタ部に接続された状態で前記第２の連通路を開くことで前記光源部の内部と前記ライトガイドコネクタ部とを連通させる第２のシール手段とを備えていることを特徴とする。
【００１０】
【発明の実施の形態】
以下、図面を参照しながら本発明の実施形態について説明する。
【００１１】
図１〜図５は本発明の第１の実施形態を示している。図１に示すように、本実施形態に係る内視鏡装置１は、内視鏡本体２と、ポータブル形式のバッテリ光源部３とから成る。内視鏡本体２は、挿入部５と、挿入部５の基端に接続された操作部４とから成る。挿入部５の基端部には、挿入部５の座屈を防止するためのゴム製の折れ止め１００が設けられている。操作部４には、接眼部６と、処置具挿入口７と、湾曲操作ノブ８と、内視鏡本体２の水漏れチェック用の通気口金１０１とが設けられている。操作部４の側面には、バッテリ光源部３が着脱可能に接続されるライトガイドコネクタ部９が設けられている。
【００１２】
図２の（ａ）に示すように、本実施形態におけるライトガイドコネクタ部９は、内視鏡本体２の内部に通じる通気口２０１を有するコネクタベース２０２と、Ｏリング２０３とネジ部２０４とによってその端部がコネクタベース２０２に水密的に固定されたコネクタカバー２０５と、コネクタベース２０２に嵌挿されたコネクタ口金２０６と、コネクタカバー２０５内にスライド可能に配設された第１の水密パット２１０と、コネクタ口金２０６に内挿され且つビス１１によって固定されたライトガイドファイバ１２およびコニカルファイバ１４とによって構成されている。なお、図３に示すように、第１の水密パット２１０は、ライトガイドコネクタ部９にバッテリ光源部３が接続されていない状態で、第１のバネ２０９による付勢力により、コネクタカバー２０５のフランジ部２０７とコネクタ口金２０６のフランジ部２０８とに突き当てられて、内視鏡本体２の内部を水密に保持する。
【００１３】
ライトガイドファイバ１２は、束ねられた７本のプラスチックファイバによって形成されている。プラスチックファイバは、開口数（ＮＡ）が高い素線径φ０．２５ｍｍ〜φ０．５ｍｍのものが使用され、図４に示すようにライトガイド口金１０に挿入された後に熱によって素線が径方向に膨張されることにより、７本が密接するようにライトガイド口金１０により束ねられる。すなわち、素線と素線との間の隙間が殆ど無い状態で束ねられている。なお、ライトガイドファイバ１２の入射端面は、ロス無く光が入射するように、凹凸を無くすための研磨が施されている。
【００１４】
コニカルファイバ１４は、円錐形を成しており、ライトガイドファイバ１２の入射端面に配置されている。この場合、コニカルファイバ１４は、その小径側端面がライトガイドファイバ１２の入射端面に位置合わせされている。ライトガイドファイバ１２とコニカルファイバ１４は共に同一の部材、本実施形態においては前述したようにコネクタ口金２０６内に固定されている。したがって、殆ど位置ずれすることはない。
【００１５】
コニカルファイバ１４はコア部とクラッド部とからなる単ファイバであり、コア部の小径側端面の大きさはライトガイドファイバ１２の入射端面の大きさと略等しく設定されている。コア部の大径側端面は、ライトガイドコネクタ９に接続されるバッテリ光源部３の内部に設けられたランプ１８と対向するように配置されている。
【００１６】
図５は、内視鏡本体２の挿入部５の先端面を示している。この図から分かるように、挿入部５の先端は金属製の先端構成部材２１から成る。挿入部５には、図示しないイメージファイバと、ライトガイドファイバ１２と、図示しないチャンネルチューブとが内装されている。前記イメージガイドファイバは、複数のファイバ素線を束ねて成り、その基端が前記接眼部６に接続され、先端が先端構成部材２１に固定されている。イメージガイドファイバの先端には対物レンズ２２が設けられている。この対物レンズ２２は、透光性の接着剤によって、先端構成部材２１に接着固定されている。
【００１７】
ライトガイドコネクタ部９内で束ねられていたライトガイドファイバ１２は、操作部４内および挿入部５内では図５に示すように素線単位に分けられた状態で配設され、その先端側部分（出射端部分）が先端構成部材２１に固定されている。ライトガイドファイバ１２は、ライトガイドコネクタ９内ではランプ１８からの光を効率的に受けるために１本に束ねられている必要があるが、挿入部５内では１本に束ねられた状態であるよりもむしろ本実施形態のように素線単位で分けられている方がスペース的により多くの素線を入れることができるため有益である。
【００１８】
前記チャンネルチューブは、その基端が前記処置具挿入口７に接続されており、先端が先端構成部材２１に固定されたチャンネルパイプ２３に接続されている。なお、ライトガイドファイバ１２は前述したように非常に細い素線（φ０．２５ｍｍ〜φ０．５ｍｍ）から成るため、これらの素線を個別に挿通するための穴を先端構成部材２１に加工することが難しい。したがって、本実施形態では、ライトガイドファイバ１２とチャンネルパイプ２３とが先端構成部材２１に設けられた同一の穴７０内に挿入されて固定されており、隙間には透光性の接着剤２４が充填されている。この構成によれば、先端構成部材２１の加工性が良好となる。また、ライトガイドファイバ１２の先端を保護するため、ライトガイドファイバ１２の先端面にも透光性の接着剤が盛られている。
【００１９】
図１に示すように、バッテリ光源部３の内部には、ランプ１８と、ランプ１８に電源を供給するための乾電池または充電式電池等のバッテリ２５とが設けられている。これらのランプ１８とバッテリ２５は、ケース本体２９とバッテリカバー３４とによって覆われて保護されている。バッテリカバー３４は、図示しないＯリング等によって水密的にケース本体２９に取り付けられる。また、バッテリ光源部３には、ランプ１８を点灯制御するためのＯＮ／ＯＦＦスイッチ部３５が設けられている。
【００２０】
図２に示すように、バッテリ光源部３は、挿入筒２１１と、Ｏリング２１２とネジ部２１３とによって挿入筒２１１に水密的に固定された筒本体２１４と、挿入筒２１１に接着固定された第２の水密パット２１５と、筒本体２１４内にスライド可能に配設されたレンズ保持部材２１６と、レンズ保持部材２１６に水密的に接着固定された凸レンズ２１７と、挿入筒２１１の外周に設けられたＯリング２１８とを有している。
【００２１】
筒本体２１４はケース本体２９に形成されている。筒本体２１４の外周には固定用ネジ３１が回転自在に設けられている。この固定用ネジ３１は、ライトガイドコネクタ部９に設けられたネジ部３２にねじ込まれることによって、バッテリ光源部３を内視鏡本体２に接続する。また、挿入筒２１１の基端３３は、筒本体２１４からの固定用ネジ３１の外れを防止するためのフランジ部を兼ねている。レンズ保持部材２１６は、図３に示すように、バッテリ光源部３がライトガイドコネクタ部９に接続されていない状態で、第２のバネ２２１の付勢力によって、第２の水密パット２１５に突き当てられて、バッテリ光源部３の内部を水密に保持する。レンズ保持部材２１６の周縁部には、図２の（ｂ）に詳しく示すように、内視鏡本体２とバッテリ光源部３との接続時にこれら両者間で空気を流通させるための切り欠き部２１９が形成されている。また、凸レンズ２１７は、ランプ１８からの光をある大きさを持ったスポット光にする。さらに、Ｏリング２１８は、内視鏡本体２とバッテリ光源部３との水密的な接続を可能にする。
【００２２】
なお、コニカルファイバ１４の大径側端面の大きさは、ランプ１８からのスポット光の大きさよりもやや大きく設定されている。
【００２３】
前述したように、内視鏡本体２の操作部４には通気口金１０１が設けられている。水漏れチェック時にチェックアダプタ２２０が通気口金１０１に取り付けられると、内視鏡本体２の内部と水漏れチェックアダプタ２２０とが通気口金１０１を介して互いに連通するようになっている。
【００２４】
次に、上記構成の内視鏡装置１の作用について説明する。
【００２５】
内視鏡装置１の使用時には、まず、内視鏡本体２のライトガイドコネクタ９にバッテリ光源部３を接続する。この接続状態（図２の状態）で、スイッチ部３５をＯＮしてランプ１８を点灯させると、ランプ１８のフィラメント２６から発生する光が、凸レンズ２１７によってある大きさを持ったスポット光となり、内視鏡本体２のライトガイドコネクタ９に設けられたコニカルファイバ１４の大径側端面に入射する（図２参照）。すなわち、ランプ１８のフィラメント２６から発生する光は、凸レンズ２１７によって略平行な光もしくは光軸に対して小さな角度のスポット光（ＮＡの小さな光）となってコニカルファイバ１４の大径側端面に入射する。この時、コニカルファイバ１４の大径側端面はランプ１８からのスポット光の大きさよりやや大きいため、ランプ１８から発生する光はロス無くコニカルファイバ１４に入射する。したがって、細いライトガイドファイバ１２が使用され（ライトガイドファイバ１２の入射端面の面積が小さく）、万が一、ランプ１８の位置出し精度が悪く、コニカルファイバ１４の中心軸に対してランプ１８の中心軸が多少ずれていた場合でも、光のロスは殆ど生じない。
【００２６】
コニカルファイバ１４の大径側端面に入射したスポット光は、コニカルファイバ１４のコア部とクラッド部との境界で反射し、光軸に対して大きな角度をもった光（ＮＡの大きな光）となってコニカルファイバ１４の小径側端面に伝わり、この小径側端面と略同じ大きさのライトガイドファイバ１２の入射端面に入射する。この時、ライトガイドファイバ１２の入射端面とコニカルファイバ１４の小径側端面とが共通のコネクタ口金２０６内で正確に位置決めされるとともにライトガイドファイバ１２が高いＮＡを有し且つライトガイドファイバ１２の素線同士の隙間が殆ど無いため、コニカルファイバ１４によって伝送された光はロス無くライトガイドファイバ１２に伝送される。また、光がロス無く伝わるため、余計な熱も生じない。
【００２７】
なお、コニカルファイバ１４の小径側端面のＮＡが例えば０．５５で、ライトガイドファイバ１２のＮＡがこれより小さい０．５であると、コニカルファイバ１４を通じて伝送された光を全てライトガイドファイバ１２に入射させることができない。つまり、大きな入射角でライトガイドファイバ１２に入射してくる光は、ライトガイドファイバ１２の端面で反射されてしまい、ライトガイドファイバ１２を通じて伝送されない。したがって、本実施形態では、ライトガイドファイバのＮＡがコニカルファイバ１４の小径側端面のそれよりも大きく設定されている。すなわち、コニカルファイバ１４の小径側端面のＮＡが例えば０．５５であれば、ライトガイドファイバのＮＡは０．５５以上に設定される。ライトガイドファイバ１２によって伝送された光は、最終的には、挿入部５の先端から出射され、照明光となる。
【００２８】
また、ライトガイドコネクタ部９にバッテリ光源部３が接続されていない状態では、第１の水密パット２１０が第１のバネ２０９による付勢力によってコネクタカバー２０５のフランジ部２０７とコネクタ口金２０６のフランジ部２０８とに突き当てられている（図３参照）。したがって、内視鏡本体２の内部が水密に保持されている。一方、バッテリ光源部３にあっては、ライトガイドコネクタ部９に接続されていない状態で、レンズ保持部材２１６が第２のバネ２２１の付勢力によって第２の水密パット２１５に突き当てられている（図３参照）。したがって、バッテリ光源部３の内部が水密に保持されている。
【００２９】
このように、個別にその内部が水密に保持されたバッテリ光源部３と内視鏡本体２とを固定用ネジ３１を介して互いに接続すると、バッテリ光源部３の挿入筒２１１がライトガイドコネクタ部９側の第１の水密パット２１０をコネクタカバー２０５内に押し込み、かつ、コネクタ口金２０６がバッテリ光源部３側のレンズ保持部材２１６を筒本体２１４内に押し込む。したがって、内視鏡本体２の内部とバッテリ光源部３の内部とが通気口２０１と切り欠き部２１９とを介して互いに連通する。しかも、挿入筒２１１の外周に設けられたＯリング２１８によって、内視鏡本体２とバッテリ光源部３の内部は連通した状態で外部に対しては水密状態に保持される。なお、この内視鏡本体２とバッテリ光源部３の接続状態では、ランプ１８からの光が凸レンズ２１７を通じてある大きさを持ったスポット光となってコニカルファイバ１４の大径側端面に良好に入射するように、凸レンズ２１７が位置決めされる。
【００３０】
また、この内視鏡本体２とバッテリ光源部３の接続状態で、内視鏡本体２の操作部４の通気口金１０１に水漏れチェックアダプタ２２０を取り付け、水の中にこの内視鏡装置１を浸漬し、さらに水漏れチェックアダプタ２２０を通して内視鏡装置１の内部を加圧することによって、内視鏡本体２の水漏れチェックだけでなく、バッテリ光源部３の水漏れチェックも同時に行なえる。
【００３１】
なお、ＥＴＯ滅菌時の滅菌室内で陰圧行程のあるガス滅菌を行なう際には、この通気口金１０１に通気用のキャップ２２２を取り付け、内視鏡装置１の柔軟な部分、例えば挿入部５の先端部付近に設けられた湾曲部の外皮チューブ２２３等が破裂するのを防止する。
【００３２】
以上説明したように、本実施形態の内視鏡装置によれば、通気口金１０１を用いて内視鏡本体２およびバッテリ光源部３の両方の水漏れチェックを行なうことができるため、水漏れチェックの手間が大幅に省ける。すなわち、本実施形態の構成では、接続時に内視鏡本体２の内部とバッテリ光源部３の内部とが互いに連通するため、通気口金１０１を用いて内視鏡本体２およびバッテリ光源部３の両方の水漏れチェックを行なうことができ、水漏れチェックの手間が大幅に省ける。また、本実施形態では、バッテリ光源部３側に水漏れチェック用の口金を設ける必要がないため、バッテリ光源部３がコンパクトになるとともに、操作の妨げとなる突起部もないため、操作性の向上にも繋がる。
【００３３】
また、薬液消毒時等において、内視鏡本体２単体の状態、バッテリー光源部３単体の状態、内視鏡本体２とバッテリー光源部３とが接続された状態のどの状態で薬液に浸漬しても、これら両者の内部に液が侵入しないため、内視鏡本体２およびバッテリ光源部３が故障する虞がない。
【００３４】
また、本実施形態では、ライトガイドファイバ１２の入射端面とコニカルファイバ１４の小径側端面とが共通のコネクタ口金２０６内で正確に位置決めされるとともにライトガイドファイバ１２が高いＮＡを有し且つライトガイドファイバ１２の素線同士の隙間が殆ど無いため、コニカルファイバ１４によって伝送された光がロス無くライトガイドファイバ１２を通じて伝送される。また、このように、ライトガイドファイバ１２が高いＮＡを有していると、挿入部５の先端（正確には、ライトガイドファイバ１２の先端）に照明レンズが配置されていなくても、広い角度の照明光を得ることができる。なお、この効果は、本実施形態のようにライトガイドファイバ１２が操作部４内および挿入部５内で素線単位に分けられて配設されている場合や、ライトガイドファイバの先端（出射端）が円形形状をしていない場合のように、照明レンズをライトガイドファイバの先端に配置することが難しい場合に特に有益となる。
【００３５】
また、本実施形態の内視鏡装置１は、ライトガイドファイバ１２が操作部４内および挿入部５内で素線単位に分けられて配設されているため、先端構成部材２１の面積を有効に利用することができる。
【００３６】
また、本実施形態の内視鏡装置１は、ライトガイドファイバ１２とチャンネルパイプ２３とが先端構成部材２１に設けられた同一の穴７０内に挿入されて固定されている。したがって、ライトガイドファイバ１２の素線を個別に挿通するための複数の穴を先端構成部材２１に形成する必要がないため、先端構成部材２１の加工性が良好となる。
【００３７】
なお、本実施形態において、コニカルファイバ１４は、単ファイバである必要はなく、複数のファイバ素線を束ねたバンドルタイプのものであっても良い。また、ライトガイドファイバ１２は、プラスチックファイバに限らず、多成分ガラスのファイバ素線を束ねたものであっても良い。また、先端構成部材２１にはチャンネルパイプ２３を介してチャンネルチューブが固定されているが、チャンネルパイプ２３を介すことなくチャンネルチューブを直接に先端構成部材２１に固定しても良い。
【００３８】
また、本実施形態において、通気口金１０１は内視鏡本体２に設けられているが、これに限らず、通気口金１０１をバッテリ光源部３に設け、内視鏡本体２には設けなくても良い。また、内視鏡本体２とバッテリ光源部３の両者に通気口金１０１を設け、それぞれ単体でも水漏れチェックが行なえ、かつ、両者が接続状態時はどちらの通気口金からも水漏れチェックが行なえるように構成しても良い。
【００３９】
次に、図６〜図９を参照しながら内視鏡装置の別の構成例について説明する。これらの図に示される内視鏡装置１ａは、バッテリ光源部３と内視鏡本体２とが別体ではなく、バッテリ光源部３が内視鏡本体２に内蔵された構成となっている。
【００４０】
図７の（ａ）に示すように、内視鏡装置１ａのバッテリ光源部３は、内視鏡本体２に固定された固定部材３９０と、固定部材３９０に形成されたランプユニット装着部３０１に着脱可能に装着され且つランプ３０２を有するランプユニット３０３と、ランプユニット３０３に電気を供給するためのバッテリ３０４と、ランプユニット３０３およびバッテリ３０４をカバーするカバー部材３０５とを有している。カバー部材３０５は、カバー本体３５０と導電部材３１６とから成る。カバー本体３５０は、耐薬性を有するプラスチック製の材料によって形成され、内視鏡本体２の操作部４のハウジング３９１に設けられたフランジ部３９１ａにＯリング３０６を介して水密的に装着されている。また、導電部材３１６は、カバー本体３５０の内周面に配設された筒状部材として形成され、固定部材３９０の端部に形成されたカバー部材装着部３０７に対してネジによって機械的且つ電気的に接続されている。これにより、導電部材３１６は、カバー部材装着部３０７とランプユニット装着部３０１とを介して、ランプユニット３０３の後述する接点ネジ部３１２に電気的に接続されることになる。なお、ランプユニット装着部３０１には、第１の実施形態と同様の形態で、ランプ３０２と対向するようにコニカルファイバ１４とライトガイドファイバ１２とが配置されている。
【００４１】
ランプユニット３０３は、図示しないフィラメントと、先端が凸レンズに形成されたバルブ部３０８と、ランプユニット３０３の着脱時に把持される基端側のランプユニット把持部３０９と、把持部３０９の基端から突出して設けられ且つバッテリ３０４の第１の接点部３１０と直接に接触する電気接点部としての基端側接点部３１１と、内視鏡本体２のランプユニット装着部３０１に螺合する電気接点部としての接点ネジ部３１２とによって構成されている。
【００４２】
なお、ランプユニット３０３にはＯリング３１３が設けられている。このＯリング３１３は、カバー部材３０５が無い状態で内視鏡装置１ａに液体がかかった場合でもこの液体がランプユニット装着部３０１内に侵入することを防止するとともに、回転力量を重くしてランプユニット３０３の接点ネジ部３１２がランプユニット装着部３０１から自然と緩んでしまうことを防止する。
【００４３】
カバー部材３０５側には、バッテリ３０４の第２の接点部３１４と接触する弾性金属からなるバネ接点３１５が設けられている。このバネ接点３１５は、カバー部材３０５に設けられたスイッチ機構３１７によって、導電部材３１６と電気的に接続および遮断されるようになっている。
【００４４】
図７の（ｂ）は、スイッチ機構３１７をバッテリ３０４側から見た図である。図示のように、スイッチ機構３１７は、カバー本体３５０の基端外側に回転自在に設けられたスイッチ操作部３１８と、スイッチ操作部３１８の回転軸に設けられ且つスイッチ操作部３１８とカバー部材３０５との間の水密を保つＯリング３１９と、スイッチ操作部３１８と連動し且つバネ接点３１５と電気的に接続された板バネ部材３２０と、導電部材３１６の基端からカバー部材３０５の内側に向かって延出し且つスイッチ操作部３１８のＯＮ時に板バネ３２０と接触する導電突出部３２１と、スイッチ操作部３１８のＯＦＦ時に板バネ３２０と接触する絶縁部材３２２とを有している。
【００４５】
板バネ３２０には半球状の小さな突起３２４が設けられており、この突起３２４が導電突出部３２１および絶縁部材３２２に設けられた小さな半球状の穴部３２５に収まることによって、スイッチ操作部３１８の操作時（ＯＮ／ＯＦＦ時）にクリック感が得られるようになっている。また、スイッチ操作部３１８が必要以上に回転しないように、絶縁部材３２２にはスイッチ操作部３１８の回転量を規制する係止部３２６，３２６が設けられている。
【００４６】
図８は、上記構成の内視鏡装置１ａを組み立てる手順を示している。図示のように、組み立ては、内視鏡本体２側に設けられたランプユニット装着部３０１にランプユニット３０３をねじ込み、さらに、内部にバッテリー３０４を落とし込んだカバー部材３０５をカバー部材装着部３０７に取り付けることによって完了する。
【００４７】
このような構成の内視鏡装置１ａにあっては、スイッチ操作部３１８をＯＮ方向に回転させると、導電部材３１６とカバー部材装着部３０７とランプユニット装着部３０１とを介して、ランプユニット３０３の接点ネジ部３１２とバッテリ３０４の第２の接点３１４とが電気的に接続され、ランプ３０２が点灯する。ランプ３０２からの出射光は、第１の実施形態と同様、コニカルファイバ１４とライトガイドファイバ１２とを介して内視鏡本体２の挿入部５の先端から照明光として出射される。
【００４８】
以上説明したように、上記構成の内視鏡装置１ａは、非常に軽量且つコンパクトで、操作性が良い。また、安価に製造できる。さらに、水密構造も比較的少ないシール材によって達成することができる。従来、バッテリ光源式の内視鏡装置は、特願平９−１１４２６号公報に示すように、内部にランプとバッテリとスイッチとを有しており、バッテリ光源部が内視鏡本体と別体になっている。そして、バッテリ光源部は、その構造上、必然的にある程度の大きさおよび重さになってしまい、操作の際の邪魔になる可能性があった。また、部品点数が非常に多くなってしまい、原価的にも高くなってしまうという問題があった。さらに、水密構造にするためには、バッテリ光源部および内視鏡本体のバッテリ光源部接続部において数多くのシール材を必要とし、構造がかなり複雑になってしまうという問題があった。しかし、本実施形態の内視鏡装置１ａによれば、こうした従来の問題点は全て解消される。
【００４９】
図９は図６〜図９の内視鏡１ａの変形例を示している。図示のように、カバー部材装着部３０７にはピン３２７が立設されており、カバー部材３０５にはこのピン３２７を誘導する切り欠き部３２８が設けられている。
【００５０】
また、カバー部材３０５の内部（具体的には導電部材３１６）には弾性体３２９が設けられている。この弾性体３２９は、カバー部材３０５をカバー部材装着部３０７に装着するためにピン３２７を切り欠き部３２８の端部の係止部３３０に係止させた際に、カバー部材装着部３０７の端部に押圧され、その弾性力によって係止部３３０からのピン３２７の抜けを防止して、カバー部材３０５をカバー部材装着部３０７に固定する。なお、弾性体３２９は、カバー部材３０５とカバー部材装着部３０７との間を水密に保つシール材を兼ねている。また、導電部材３１６とカバー部材装着部３０７もしくはピン３２７は電気的に接続されている。
【００５１】
この構成によれば、スイッチ操作部３１８のＯＮ／ＯＦＦ位置が内視鏡本体２の操作部４に対して常に一定の位置となる。
【００５２】
図１０および図１１は本発明の第２の実施形態を示している。本実施形態の内視鏡装置は、内視鏡本体２に気管内チューブ固定具４０１が着脱自在に取り付けられるようになっており、それ以外の構成は第１の実施形態と全く同一である。したがって、以下では、気管内チューブ４０５および気管内チューブ固定具４０１についてのみ説明することとする。
【００５３】
図１０に示すように、内視鏡本体２の挿入部５には、全体がゴムによって形成された筒状の気管内チューブ固定具４０１が着脱自在に取り付けられている。図１１の（ａ）に詳しく示すように、気管内チューブ固定具４０１は、内視鏡本体２の挿入部５に装着される内視鏡装着部４０２と、気管内チューブ４０５が着脱自在に装着される気管内チューブ装着部４０３とから成る。
【００５４】
図１１の（ｂ）に示すように、気管内チューブ固定具４０１の側面には、内視鏡本体２の挿入部５の直径よりも狭い幅で開口するスリット（割り目）４０４が全長にわたって形成されている。内視鏡装着部４０２は挿入部５の直径よりもやや小さい直径の穴からなる。気管内チューブ装着部４０３は、気管内チューブ４０５の接続アダプタ４０６（図１１の（ｃ）参照）の円錐台形状に対応するテーパ状の穴からなる。すなわち、気管内チューブ装着部４０３は、端部に向かって先細りになる接続アダプタ４０６の形状に対応して、その径が奥側に向かって小さくなっている。
【００５５】
なお、本構成では、内視鏡装着部４０２と内視鏡本体２の挿入部５との間の摩擦力が、気管内チューブ装着部４０３と気管内チューブ４０５の接続アダプタ４０６との間の摩擦力よりも大きくなるように、内視鏡装着部４０２と気管内チューブ装着部４０３の形状が設定されており、気管内チューブ４０５を気管内チューブ固定具４０１から外す時に気管内チューブ固定具４０１が内視鏡本体２の挿入部５上をずれないようになっている。
【００５６】
気管内チューブ固定具４０１を内視鏡本体２の挿入部５に取り付ける場合には、気管内チューブ固定具４０１を弾性的に変形させることによりスリット４０４の開口幅を広げ、内視鏡装着部４０２を内視鏡本体２の挿入部５に装着する。続いて、気管内チューブ４０５を気管内チューブ固定具４０１に取り付ける場合には、気管内チューブ４０５の接続アダプタ４０６を気管内チューブ装着部４０３に接続する。この場合、気管内チューブ装着部４０３がテーパ状に形成されているため、円錐台状の接続アダプタ４０６は気管内チューブ装着部４０３にスムーズに装着される。
【００５７】
このようにして気管内チューブ４０５を内視鏡本体２の挿入部５に外装させたら、挿入部５を患者の気管内へと挿入する。そして、挿入部５の先端が気管内に挿入されたら、気管内チューブ４０５を気管内チューブ固定具４０１から外して挿入部５の先端方向へとスライドさせていく。気管内チューブ４０５が気管内に完全に挿入されたら、気管内チューブ４０５をそのまま留置し、挿入部５のみを患者の体内から引き抜く。これによって、気管内挿管が完了する。
【００５８】
以上説明したように、本実施形態の内視鏡装置は、内視鏡本体２を使用して気管内挿管を行なう場合に有益であり、確実に気管内チューブを内視鏡挿入部に装着することができる。特に、気管内チューブ固定具４０１は、内視鏡本体２の挿入部５に対して容易に着脱できるため、気管内挿管を行なわない場合（気管内挿管以外の一般の用途、例えば気管支検査等）に挿入部５から取り外せば、邪魔にならない。また、気管内チューブ固定具４０１は、ゴム製であるため、内視鏡装着部４０２によって軟性の挿入部５を傷付けることもない。したがって、挿入部が硬性または半硬性の内視鏡だけでなく、挿入部が軟性の内視鏡に対しても使用できる。また、気管内チューブ固定具４０１は挿入部５の任意の位置に固定できるため、気管内チューブ４０５の長さに応じた位置に気管内チューブ固定具４０１を固定できる。
【００５９】
図１２は気管内チューブ固定具の第１の変形例を示している。図示のように、この気管内チューブ固定具４０１ａは、ゴム製の内視鏡装着部４０２と、プラスチック製の気管内チューブ装着部４０３とから成り、内視鏡装着部４０２と気管内チューブ装着部４０３とが別体となっている。なお、それ以外の構成は第４の実施形態と同一である。
【００６０】
この構成によれば、内視鏡装着部４０２と内視鏡本体２の挿入部５との間の摩擦力と、気管内チューブ装着部４０３と気管内チューブ４０５の接続アダプタ４０６との間の摩擦力との差が、その材質の違いにより大きくなり、気管内チューブ４０５を気管内チューブ固定具４０１ａから外す時に気管内チューブ固定具４０１ａが内視鏡本体２の挿入部５上をずれる可能性がより少なくなる。
【００６１】
図１３は気管内チューブ固定具の第２の変形例を示している。図示のように、この気管内チューブ固定具４０１ｂは、ゴム製で且つ筒状の内視鏡装着部４０２と、プラスチック製で且つ筒状の気管内チューブ装着部４０３とから成り、内視鏡装着部４０２と気管内チューブ装着部４０３とが別体となっている。また、気管内チューブ装着部４０３は、複数の切り欠き４０７を有しており、その端部内周面に突起４０８を有している。また、内視鏡装着部４０２の外周面上には、突起４０８と係合する凹部４０９が設けられている。なお、気管内チューブ装着部４０３の内径は、内視鏡装着部４０２の外径よりも僅かに小さく設定されている。また、内視鏡装着部４０２の側面には、内視鏡本体２の挿入部５の直径よりも狭い幅で開口するスリット（割り目）４０４が全長にわたって形成されている。
【００６２】
このような構成の気管内チューブ固定具４０１ｂを内視鏡本体２の挿入部５に取り付ける場合には、まず、内視鏡装着部４０２を弾性的に変形させることによりスリット４０４の開口幅を広げ、内視鏡装着部４０２を内視鏡本体２の挿入部５に装着する。続いて、気管内チューブ装着部４０３を、内視鏡本体２の挿入部５の先端方向から通して、内視鏡装着部４０２に押し込んで装着する。この状態が図１３の（ｂ）に示されている。
【００６３】
この構成によれば、ゴム製の内視鏡装着部４０２の弾性力とともにプラスチック製の気管内チューブ装着部４０３の弾性力が挿入部５に対して加わるため、内視鏡装着部４０２と内視鏡本体２の挿入部５との間の摩擦力と、気管内チューブ装着部４０３と気管内チューブ４０５の接続アダプタ４０６との間の摩擦力との差がさらに大きくなり、気管内チューブ４０５を気管内チューブ固定具４０１ｂから外す時に気管内チューブ固定具４０１ｂが内視鏡本体２の挿入部５上をずれる可能性がより少なくなる。
【００６４】
図１４は気管内チューブ固定具の第３の変形例を示している。図示のように、本変形例では、内視鏡本体２の挿入部５の折れ止め部１００に、気管内チューブ固定具４０１ｃを係止するための係止部４１０が設けられている。また、気管内チューブ固定具４０１ｃの内視鏡装着部４０２には、係止部４１０と係合する溝部４１１が設けられている。
【００６５】
この構成によれば、気管内チューブ４０５を気管内チューブ固定具４０１ｃから外す時に気管内チューブ固定具４０１ｃが内視鏡本体２の挿入部５上をずれなくなる。なお、本変形例では、ゴム製の内視鏡装着部４０２とゴム製の気管内チューブ装着部４０３とが一体となっているが、内視鏡装着部４０２がゴム製で且つ気管内チューブ装着部４０３がプラスチック製でも良く、また、内視鏡装着部４０２と気管内チューブ装着部４０３とが別体となっていても良い。
【００６６】
図１５は気管内チューブ固定具の第４の変形例を示している。図示のように、本変形例では、図１４で示した係止部４１０が内視鏡本体２の操作部４に設けられている。それ以外の構成は第３の変形例と同一である。
【００６７】
なお、前述した技術内容によれば、以下に示すような各種の構成が得られる。
１．照明光をライトガイドコネクタから内視鏡先端まで導光するライトガイドファイバと、吸引及び処置具挿通用チャンネルと、例えば金属からなる先端部構成部材とを有する内視鏡装置において、
前記チャンネルもしくは前記チャンネルと接続されているチャンネルパイプとライトガイドファイバを前記先端構成部材の同一穴に固定したことを特徴とする内視鏡装置。
【００６８】
２．照明光をライトガイドコネクタから内視鏡先端まで導光するライトガイドファイバと、内視鏡外装から内部への水漏れを確認する為の通気口金とを有する内視鏡本体と、前記ライトガイドコネクタに連結される、内部に前記ライトガイドファイバ入射端に光を供給する為のランプと、前記ランプに電気を供給する為のバッテリとを有したバッテリ光源部とを有する内視鏡装置において、
前記内視鏡本体と前記バッテリ光源部が各々単独状態の時は各々水密状態に構成されており、連結状態では内視鏡本体内部とバッテリ光源部内部が連通する連通手段を有し、かつ連結状態では内視鏡装置全体としては水密状態となるように構成されていることを特徴とする内視鏡装置。
【００６９】
３．照明光をライトガイドコネクタから内視鏡先端まで導光するライトガイドファイバを有する内視鏡本体と、前記ライトガイドファイバ入射端に光を供給する為のランプと、前記ランプに電気を供給する為のバッテリとを有する内視鏡装置において、
前記内視鏡装置は前記ランプを有するランプユニットと、前記ランプユニット及び前記バッテリを水密的にカバーするカバー部材とを有し、
前記内視鏡本体に、前記ランプユニットがライトガイドファイバ入射端に対向するように装着可能なランプユニット装着部と、前記カバー部材が水密的に装着可能なカバー部材装着部とが設けられていることを特徴とするバッテリ光源内蔵式の内視鏡装置。
【００７０】
４．前記ランプユニットは、先端バルブ部と、中央部または後端部付近に設けられており、ランプユニット着脱時に把持するランプユニット把持部と、後端部に設けられており、バッテリの第一接点部と直接接触するランプユニット第一電気接点部と、前記内視鏡本体のランプユニット装着部との接触部に設けられており、バッテリの第二接点部と電気的に接続されるランプユニット第二電気接点部とからなることを特徴とする第３項に記載の内視鏡装置。
【００７１】
５．前記カバー部材の内側底面に、前記バッテリの第二接点部と接触し、かつ前記ランプユニット第二電気接点部と電気的に接続される弾性金属からなるバネ接点が設けられていることを特徴とする第３項に記載の内視鏡装置。
６．前記ランプユニットは、前記ランプユニット装着部に螺合固定される構造となっており、前記螺合部がランプユニット第二電気接点部を兼ねていることを特徴とする第３項に記載の内視鏡装置。
【００７２】
７．前記カバー部材に、ランプのＯＮ／ＯＦＦを制御するスイッチ部が設けられていることを特徴とする第３項に記載の内視鏡装置。
８．前記スイッチ部は、前記カバー部材外側底面に回転自在に設けられたスイッチ操作部と、前記スイッチ操作部の軸と前記カバー部材との間に設けられた水密手段と、前記スイッチ操作部と連動し、かつ前記カバー部材内側底面に設けられているバネ接点と電気的に接続されている板バネ部材と、スイッチＯＮ時に前記板バネ部材と接触し、前記ランプユニット第二電気接点部と電気的に接続する前記カバー部材内部に配設されている導電部材と、スイッチＯＦＦ時に前記板バネが接触する絶縁部材とによって構成されていることを特徴とする第１７項に記載の内視鏡装置。
【００７３】
９．気道に挿入される気管内チューブと、前記気管内チューブを挿脱自在に外装可能な挿入部と、前記挿入部付近に着脱自在に装着可能な気管内チューブ固定具とを有する内視鏡装置において、
前記気管内チューブ固定具は、前記内視鏡の挿入部付近に装着する内視鏡装着部と、気管内チューブを着脱自在に装着する気管内チューブ装着部とからなり、
前記内視鏡装着部は割り（スリット）を有する弾性体からなり、その弾性体自身の弾性力により内視鏡挿入部付近に取り付くことを特徴とする内視鏡装置。
【００７４】
１０．前記気管内チューブ固定具は、  前記内視鏡挿入部に取り付け可能であり、前記気管内チューブ固定具の内視鏡装着部と内視鏡挿入部の間の摩擦力が、前記気管内チューブ固定具の気管内チューブ装着部と気管内チューブの間の摩擦力よりも大きいことを特徴とする第９項に記載の内視鏡装置。
１１．前記気管内チューブ固定具は、全体が一体となっている弾性体からなることを特徴とする第９項に記載の内視鏡装置。
１２．前記弾性体は、ゴムであることを特徴とする第１１項に記載の内視鏡装置。
【００７５】
１３．前記気管内チューブ固定具は、内視鏡固定部と気管内チューブ固定部が別体となっていることを特徴とする第９項に記載の内視鏡装置。
１４．前記気管内チューブ固定具は、前記内視鏡固定部がゴムからなり、前記気管内チューブ固定部がプラスチックからなることを特徴とする第１３項に記載の内視鏡装置。
１５．前記内視鏡挿入部付近の一部に、前記気管内チューブ固定具を係止する為の係止部を設けたことを特徴とする第９項に記載の内視鏡装置。
【００７６】
１６．前記係止部は、前記内視鏡挿入部が座屈するのを防止する為に挿入部上方に設けられた略円錐形状の弾性体からなる折れ止め部に設けられていることを特徴とする第１５項に記載の内視鏡装置。
１７．前記係止部は、前記折れ止め部の上方に設けられた、内視鏡を操作する為の内視鏡操作部に設けられていることを特徴とする第１５項に記載の内視鏡装置。
１８．全長にわたってライトガイドファイバが配設された挿入部を有する内視鏡本体と、内視鏡本体に着脱自在に取り付けられ且つライトガイドファイバの入射端に光を供給するランプとランプに電気を供給するバッテリとを有する光源部とを具備し、光源部からの光をライトガイドファイバによって挿入部の先端まで伝送することにより観察対象物を照明するための照明光を得る内視鏡装置において、
内視鏡装置にその内部と連通するように設けられ、内視鏡装置の水漏れをチェックするためのアダプタが取り付けられる通気口金と、
内視鏡本体と光源部とが接続されていない状態では、内視鏡本体と光源部の各内部を外部に対して個別にシールするとともに、内視鏡本体と光源部とが接続された状態では、内視鏡本体の内部と光源部の内部とを互いに連通させるとともにこれら両者の内部を外部に対してシールするシール手段と、
を具備することを特徴とする内視鏡装置。
【００７７】
１９．前記通気口金が前記内視鏡本体に設けられていることを特徴とする第１８項に記載の内視鏡装置。
２０．前記通気口金が前記光源部に設けられていることを特徴とする第１８項または第１９項に記載の内視鏡装置。
２１．前記ライトガイドファイバの入射端面と光源部との間に、大径の第１の端面と小径の第２の端面とを有する略円錐形コニカルファイバを、その大径の第１の端面が光源部からの光を受けるように光源部に対向して配置し、さらにライトガイドファイバと前記コニカルファイバを同一部材内に内挿して、ライトガイドファイバの入射端面とコニカルファイバの小径の第２の端面とを位置合わせしていることを特徴とする第１８項に記載の内視鏡装置。
【００７８】
２２．前記ライトガイドファイバの開口数が、前記コニカルファイバの小径の第２の端面の開口数と略等しいか、それ以上であることを特徴とする第２１項に記載の内視鏡装置。
２３．前記ライトガイドファイバの開口数が０．５５以上であることを特徴とする第２２項に記載の内視鏡装置。
【００７９】
【発明の効果】
以上説明したように、本発明の内視鏡装置によれば、内視鏡側に設けられた通気口金を用いるだけで内視鏡とバッテリ光源の両方の水漏れチェックを行なうことができるとともに、内視鏡単体の状態、バッテリー光源単体の状態、内視鏡とバッテリ光源とが互いに接続された状態のいずれの状態で液体中に浸漬された場合でも内視鏡内部およびバッテリ光源内部に液体が侵入することがない。
【図面の簡単な説明】
【図１】（ａ）は本発明の第１の実施形態に係る内視鏡装置の一部内部構造を示す全体構成図、（ｂ）は（ａ）の内視鏡装置の操作部回りの外観図である。
【図２】（ａ）は図１の内視鏡装置における内視鏡本体とバッテリ光源部との接続部付近の断面図、（ｂ）は（ａ）の内視鏡装置に設けられたレンズ保持部材の斜視図である。
【図３】図２の接続状態から内視鏡本体とバッテリ光源部とを分離させた状態を示す断面図である。
【図４】図２のＡ−Ａ線に沿う断面図である。
【図５】図１の内視鏡装置の内視鏡本体の挿入部先端面の正面図である。
【図６】内視鏡装置の全体構成図である。
【図７】（ａ）は図６の内視鏡装置におけるバッテリ光源部が内蔵された内視鏡本体の操作部付近の断面図、（ｂ）は（ａ）の内視鏡装置に設けられたスイッチ機構部をバッテリ側から見た図である。
【図８】図６の内視鏡装置の分解図である。
【図９】図６の内視鏡装置の変形例を示す分解図である。
【図１０】本発明の第２の実施形態に係る内視鏡装置の全体構成図である。
【図１１】（ａ）は図１０の内視鏡装置に気管内チューブ固定具を取り付けた状態を示す図、（ｂ）は図１０の内視鏡装置から気管内チューブ固定具を取り外した状態を示す図、（ｃ）は図１０の内視鏡装置に気管内チューブ固定具と気管内チューブとを取り付けた状態を示す図である。
【図１２】図１０の内視鏡装置の気管内チューブ固定具の第１の変形例に係わり、（ａ）は内視鏡装置に気管内チューブ固定具を取り付けた状態を示す図、（ｂ）は内視鏡装置から気管内チューブ固定具を取り外した状態を示す図である。
【図１３】図１０の内視鏡装置の気管内チューブ固定具の第２の変形例に係わり、（ａ）は内視鏡装置から気管内チューブ固定具を取り外した状態を示す図、（ｂ）は内視鏡装置に気管内チューブ固定具を取り付けた状態を示す図である。
【図１４】図１０の内視鏡装置の気管内チューブ固定具の第３の変形例に係わり、内視鏡装置に気管内チューブ固定具を取り付けた状態を示す図である。
【図１５】図１０の内視鏡装置の気管内チューブ固定具の第４の変形例に係わり、内視鏡装置に気管内チューブ固定具を取り付けた状態を示す図である。
【符号の説明】
１…内視鏡装置
２…内視鏡本体
３…バッテリ光源部
１０１…通気口金
２０１…通気口
２１０，２１５…水密パット
２１６…レンズ保持部材
２１９…切り欠き部
【図１】
0004129312.tif 000002
【図２】
0004129312.tif 000003
【図３】
0004129312.tif 000004
【図４】
0004129312.tif 000005
【図５】
0004129312.tif 000006
【図６】
0004129312.tif 000007
【図７】
0004129312.tif 000008
【図８】
0004129312.tif 000009
【図９】
0004129312.tif 000010
【図１０】
0004129312.tif 000011
【図１１】
0004129312.tif 000012
【図１２】
0004129312.tif 000013
【図１３】
0004129312.tif 000014
【図１４】
0004129312.tif 000015
【図１５】
0004129312.tif 000016